(57)【要約】【課題】事故や天災また人災による放火火災等の発生により、例えば高層ビルなどの災害現場から緊急に脱出を余儀なくされ、止むを得ず高所から地上に飛び降りた際に、人体に受ける衝撃を極力少なくし、また、落下場所が水上であった場合でも水面に接触する際に受ける衝撃を吸収し、かつ、浮輪のように水に浮いて人命に対して救命効果のあるゴム製寝袋式の衝撃吸収クッションボールを提供する。【解決手段】トレーニング等に使う硬質製生ゴムのジム用ボール状で強度の高い硬質ゴムで人体が入れるよう寝袋状に形成し、空気室を二層構造にして使用者のサイズに合わせる必要のないように少し大きめに作製し、人がゴム製空気室の空気吹入口から息を吹込み又は紐を引くかボタン等を押すことで、窒素式の自動車の衝撃エアーバックのように瞬時に寝袋全体をゴム毬状（楕円形のラクビーボール状）に膨らませ、その中にはいる。【選択図】図１
2014226534.tif 000002
【特許請求の範囲】
【請求項１】
高強度の硬質ゴムを使用した人が入れるゴム製の寝袋を二層の空気室がある構造で作り、この寝袋空気室の内側と外側に空気を吹き込むための口を一箇所ずつ設ける。寝袋の空気室内外に人が息を吹き込む、或いは紐などを強く引く事により瞬時にゴム製の空気室が膨張して寝袋がゴム毬状に膨らみ、内側と外側に取付けた塩化ビニールのファスナーを引き上げ、空気吹き込み口は金属製の蓋等で開かないように完全に塞ぐ。また、中に入った時に呼吸が出来て周りの状況を見渡せるようにし、自力で移動できるように手足が出せる４箇所の出し入れ穴を設ける。頭部は穴だけ空ける。例えば頭部だけ出ていない亀のような格好で、しかも手足は自由に出し入れ出来る形態のゴム毬状の寝袋。
【発明の詳細な説明】
【技術分野】
【０００１】  本発明は、事故や天災等による火災の発生時、高所から緊急脱出を余儀なくされた際に、身体を被覆する状態で装着する身体防護具に関する。
【背景技術】
【０００２】  昨今、世界中で治安が悪化し、テロリストにより高層ビルに航空機を突入させるハイジャック事件等をはじめ、事故や天災また放火等による火災被害が多く発生している状況において、いつ自分が災いを蒙るか誰にも予測できない。そして高層ビルなど高所の災害現場から緊急に脱出を余儀なくされた場合、特に火災の場合は逃げ場を失い、多くの尊い人命が失われてきた。【０００３】  高所からの非難は非常に危険と困難が伴う。逃げ場を失い飛び降りる以外に非難手段の選択がない場合、飛び降りた際に身体が地面や物体に叩き付けられる衝撃を吸収し、身体の損傷を極力少なくし、また、落下した場所が水上であった場合でも水面に接触する際に受ける衝撃を吸収し、かつ、水に浮いて人命に対して救命効果のある防護具があれば、これまでは失われていた尊い人命を救うことができる。【０００４】  特許文献１に挙げられる海難救助用スーツが、海難救助用の身体防護具として知られている。この身体防護具は、船舶等の海難事故における遭難者の救助用に特化している。【０００５】  特許文献２に挙げられる救助用エアジャケットが、ライフジャケットタイプの人命救助用具として知られている。この人命救助用具は、ジャケットに組み込まれたガス噴射機能により、避難者を空中に浮かせる方法で高所から非難させる手段を採用しており、地上でも海上でも使用できるとしている。【０００６】  しかし、非難の際にガス噴射機能が何らかの原因で正常に働かず、地上若しくは海上に落下した場合に避難者の身体に受ける衝撃を吸収する方法については考慮されていないように思われる。
【先行技術文献】
【特許文献】
【０００７】
【特許文献１】  特開２０１１−９８７２１号  公報
【特許文献２】  特表２００５−５１９６５６号  公報
【発明の概要】
【発明が解決しようとする課題】
【０００８】  高所から脱出する際に使用する身体防護具は、持ち運びが容易で陸上でも海上でも使用出来るもので、かつ、衣服を着たまま素早く簡単に装着できる必要がある。また、高所から落下した際に受ける衝撃から身体全体を保護する必要がある。
【課題を解決するための手段】
【０００９】  上記目的を達成するため、本発明は、高強度の硬質ゴムを使用した、人が入れるゴム製寝袋を二層の空気室を有する構造で作り、この寝袋空気室の内側と外側に空気を吹き込むための口を一箇所ずつ設ける。【００１０】  寝袋の内側外側空気室に人が息を吹き込む、或いは紐などを強く引くかボタン等を押すことにより、窒素式の自動車の衝撃エアーバックのように瞬時にゴム製の空気室が膨張して寝袋全体が毬状（楕円形のラクビーボール状）に膨らむ。内側と外側に取り付けた塩化ビニールのファスナーを引き上げ、空気吹き入れ口は金属製の蓋等で開かないように完全に塞ぐ。【００１１】  また、人が中に入った時に呼吸が出来て周りの状況を見渡せるようにし、自力で移動が出来るようにするため、手足を出し入れする４箇所の出し入れ穴を設ける。頭部は穴だけ空けておく。例えば、頭だけ出ていない亀の様な格好で、しかも手足は自由に出し入れ出来る形態のゴム毬状の寝袋を製作するものである。
【発明の効果】
【００１２】  本発明のゴム製寝袋式衝撃吸収クッションボールは、高強度の硬質ゴムを使用しており、ゴム製空気室に入った空気によりクッション効果を生み、高所から落下した際に身体に受ける衝撃を吸収して避難者の身体を保護し、尊い人命を救うのに有効である。【００１３】  空気室に入った空気の量によって弾力には多少誤差が生じるが、通常は見た感じがボール状であれば、本発明の寝袋式衝撃吸収クッションボールに人が入り、落下する高度が５０メートル以上であっても、人体に受ける衝撃は着用しない状態の１０％程度に軽減できるものである。また、落下する場所が水上なら水面に対する衝撃を吸収して、かつ浮袋にもなる。
【図面の簡単な説明】
【００１４】
【図１】ゴム製寝袋式衝撃吸収クッションボールの空気が抜けた状態の平面図である。
【図２】ゴム製寝袋式衝撃吸収クッションボールを装着した平面図である。
【図３】硬質ゴム製の空気室が二重構造で空気が入った状態の断面図である。
【図４】ゴム製寝袋式衝撃吸収クッションボールの装着用形態図である。［図４−１］装着側面図（頭部は出さず、手、足を出した状態）  ［図４−２］装着表面図（顔、手、足を出した状態）  ［図４−３］装着表面図（顔のみを出し、手、足を出さない状態）
【図５】衣服の上からの装着予想図
【図６】ゴム製寝袋式衝撃吸収クッションボール断面図（機能部位の説明）
【産業上の利用可能性】
【００１５】  本発明は、災害対策用の身体防護具として利用できる。また、航空機事故や船舶事故でも火災以外の状況なら、着用することによって比較的安全に人命を保護してくれる防護具として活用できる。
【符号の説明】
【００１６】  １      硬質素材のゴム製寝袋式衝撃吸収クッションボール本体
２      クッションボール空気室に空気を吹き込む吸入口と吸入密閉器
３      空気室二層構を通って足を出し入れする穴
４      空気室二層構を通って手を出し入れする穴
５      クッションボールに入る出入り口と硬質塩化ビニールファスナー
６      顔を出し入れする穴
Ａ１    空気室が二重構造で空気が入った外側の第一空気室
Ａ２    空気が入った状態で動き回るため足を出し入れする穴
Ａ３    空気室に空気が入った状態で人が入る空間部分
Ａ４    空気室が二重構造で空気が入った内側の第二空気室
【図１】
2014226534.tif 000003
【図２】
2014226534.tif 000004
【図３】
2014226534.tif 000005
【図４】
2014226534.tif 000006
【図５】
2014226534.tif 000007
【図６】
2014226534.tif 000008